Podtech/llm-jp-corpus-v4-ja_patent huggingface dataset:
【手続補正書】
【提出日】平成19年3月28日(2007.3.28)
【手続補正１】
【補正対象書類名】特許請求の範囲
【補正対象項目名】請求項１
【補正方法】変更
【補正の内容】
【請求項１】
互いに反する方向を向く第１の端面及び第２の端面、両端面の間で延び、互いに反する方向を向く前側面及び後側面、該前側面及び該後側面に交差し、互いに反する方向を向く内側面及び外側面を含み、切削インサートを受け入れるためのインサート座が前記第２の端面に隣接する前記前側面に形成されているボディと、
前記内側面から前記外側面まで前記ボディを貫通して延び、前記前側面及び前記後側面に対して堅固な底部と弾性を有する開き可能部分とに前記ボディを分けるためのスロットであって、前記底部は前記インサート座を含み、前記開き可能部分は、該開き可能部分が前記底部に対して弾性的に開くことができる支点を規定する前記底部に一体化され、かつ、前記支点及び前記第１の端面から離れた当接部を含み、該当接部は前記スロットが延びている前記前側面又は前記後側面の一つの部分によって規定されているスロットと、
前記開き可能部分を弾性的に開くためのくさびを受け入れるための前記ボディに形成され、前記当接部を前記底部から離して配置し、前記前側面又は前記後側面の他の一つから離れている孔と、
を備えたミーリングカッタのためのカートリッジ。
【手続補正２】
【補正対象書類名】特許請求の範囲
【補正対象項目名】請求項９
【補正方法】変更
【補正の内容】
【請求項９】
前記スロットが延びている前記前側面及び前記後側面の一つが、前記前側面によって構成されている請求項１に記載のカートリッジ。
【手続補正３】
【補正対象書類名】特許請求の範囲
【補正対象項目名】請求項１１
【補正方法】変更
【補正の内容】
【請求項１１】
互いに反する方向を向く第１の端面及び第２の端面、両端面の間で延び、互いに反する方向を向く前側面及び後側面、該前側面及び該後側面に交差し、互いに反する方向を向く内側面及び外側面を含み、切削インサートを受け入れるためのインサート座が前記第２の端面に隣接する前記前側面に形成されているボディと、
前記内側面から前記外側面まで前記ボディを貫通して延びるスロットであって、第１のスロット端部及び第２のスロット端部を含み、前記第１のスロット端部は前記第１の端面に近接し、かつ、前記第１の端面と前記前側面と前記後側面とから離れて位置し、前記第２のスロット端部は前記第１の側面及び前記第２の側面との間で前記前側面に交差し、前記第１のスロット端部は前記第２のスロット端部より前記第１の端面により近接して位置しており、前記スロットは堅固な底部と開き可能な部分とにボディを分割し、前記底部は座部を含み、前記開き可能部分は、前記底部に一体化され、かつ、前記第１のスロット端部に配置された支点回りで前記底部に対して弾性的に開くことができるスロットと、
前記外側面と前記内側面とを貫通し、前記ボディを通って延びる孔と、
前記孔に螺合し、その回転に応じて前記底部から離れている前記開き可能部分を弾性的に開くためのくさび部分を含む開きねじと、
を備えたミーリングカッタのためのカートリッジ。
【手続補正４】
【補正対象書類名】特許請求の範囲
【補正対象項目名】請求項１５
【補正方法】変更
【補正の内容】
【請求項１５】
回転軸を規定し、円周方向に間隔を開けた複数のポケットが形成されている外周面を含み、個々のポケットは前記軸に対して略平行に延びる方向に長く形成されると共に半径方向外側に開口し、軸方向の順方向で、個々のポケットは回転方向に略反する方向を向く誘導壁、回転方向に略向かう方向を向く後壁、軸方向の順方向を向く底面を含むホルダと、
個々のポケットに取り付けられている、ボディを備える複数のカートリッジであって、前記ボディが、互いに反する方向を向く第１の端面及び第２の端面を備え、前記第１の端面は前記ポケットの底壁に面しており、さらに前記ボディが、両端面の間で延び、互いに反する方向を向く前側面及び後側面を備え、前記前側面は前記誘導壁に面し、前記後側面は前記後壁に面しており、さらに前記ボディが、該前側面及び該後側面に交差し、互いに反する方向を向く内側面及び外側面を備え、前記外側面は半径方向外側を向いており、さらに、前記ボディに切削インサートを受け入れるためのインサート座が前記第２の端面に隣接して形成されている複数のカートリッジと、
前記内側面から前記外側面まで前記ボディを貫通して延びるスロットであって、第１のスロット端部及び第２のスロット端部を含み、前記第１のスロット端部は前記第１の端面に近接し、かつ、前記第１の端面と前記前側面と前記後側面とから離れて位置し、前記第２のスロット端部は前記インサート座と前記第１の端面との間で前記前側面及び前記後側面の一つに交差しており、堅固な底部と、前記第１のスロット端部に近接した支点回りで前記底部に対して弾性的に変形可能である開き可能な部分とにボディを分割するスロットと、
前記ボディに形成された孔と、
前記孔に螺合し、くさび部分を含む開きねじであって、前記くさび部分は、前記開き可能部分を前記底部から離すように弾性的に開くことができ、前記前側面又は前記後側面の他の一つから離れ、前記底部を押すために前記ポケットの前記誘導壁及び前記後壁のいずれか一つに接触し、前記誘導壁及び前記後壁の他の一つと堅く摩擦接触する方向に回転可能である開きねじと、
を備えるミーリング工具。
【手続補正書】
【提出日】平成19年3月23日(2007.3.23)
【手続補正１】
【補正対象書類名】特許請求の範囲
【補正対象項目名】全文
【補正方法】変更
【補正の内容】
【特許請求の範囲】
【請求項１】
複数の個別パッケージをディスプレイする商品用ストリップであって、
所定幅と縦軸を有する長く、細いプラスチックのストリップであって、被覆付の第１の側と、被覆無の第２の側を有し、前記被覆付の側によって容易に巻き取りと、巻き出しができる前記プラスチックのストリップと、
前記プラスチックのストリップの被覆無の側に貼り付けられた、前記所定幅より狭い幅を有する複数の粘着材料であって、前記ストリップの縦軸に沿って配列されており、各粘着材料間にそれぞれ所定の間隔が設けられた粘着材料とを備えることを特徴とするストリップ。
【請求項２】
請求項１の商品用ストリップにおいて、当該ストリップのプラスチックが透明プラスチックであることを特徴とするストリップ。
【請求項３】
請求項１の商品用ストリップにおいて、前記第１の面のコーティングがシリコンを含むことを特徴とするストリップ。
【請求項４】
請求項１の商品用ストリップにおいて、前記粘着材料がそれぞれ円形に構成されていることを特徴とするストリップ。
【請求項５】
請求項１の商品用ストリップにおいて、前記粘着材料がそれぞれ正方形に構成されていることを特徴とするストリップ。
【請求項６】
請求項１の商品用ストリップにおいて、前記粘着材料がそれぞれ四角形に構成されていることを特徴とするストリップ。
【請求項７】
請求項１の商品用ストリップにおいて、前記粘着材料がそれぞれ三角形に構成されていることを特徴とするストリップ。
【請求項８】
請求項１の商品用ストリップにおいて、前記粘着材料がそれぞれ五角形に構成されていることを特徴とするストリップ。
【請求項９】
請求項１の商品用ストリップにおいて、前記粘着材料がそれぞれ楕円形に構成されていることを特徴とするストリップ。
【請求項１０】
請求項１の商品用ストリップにおいて、前記粘着材料がそれぞれ星形に構成されていることを特徴とするストリップ。
【請求項１１】
請求項１の商品用ストリップにおいて、前記ストリップが、第１及び第２の端部と前記ストリップの一端の近傍の穴とを備え、前記ストリップを掛けて垂直にディスプレイできることを特徴とするストリップ。
【請求項１２】
請求項１の商品用ストリップにおいて、前記ストリップが、第１及び第２の端部と、各端部の近傍にそれぞれ設けられた第１及び第２の穴とを備え、前記粘着材料に貼り付けられたパッケージの向きに拘わらず前記ストリップを掛けて垂直にディスプレイできることを特徴とするストリップ。
【手続補正書】
【提出日】平成19年3月16日(2007.3.16)
【手続補正１】
【補正対象書類名】特許請求の範囲
【補正対象項目名】全文
【補正方法】変更
【補正の内容】
【特許請求の範囲】
【請求項１】
使用において容器の開口部と密封可能に係合するよう構成された蓋を含む容器と関連付けられた閉鎖装置であって、該蓋は、容器の開口部から蓋が解放されることを防止するために開封帯を介して容器へと接続されるよう構成される易壊部を備え、該易壊部は開封帯を引っ張ることによって蓋から取り外し可能であり、これによって使用において、容器の開口部との密封可能な係合から蓋を解放させる閉鎖装置。
【請求項２】
蓋が使用時に容器の外側頸部上にある対応するねじ山とともに協働するねじ山を有する請求項１記載の閉鎖装置。
【請求項３】
蓋が１つまたはそれ以上のプラスチック材料から製造されている請求項１または２のいずれかに記載の閉鎖装置。
【請求項４】
前記１つまたはそれ以上のプラスチック材料が、例えばポリプロピレン単独重合体および／または共重合体を含有する熱可塑性ポリマーを含有する請求項３記載の閉鎖装置。
【請求項５】
蓋が射出成形または圧縮成形によって製造される請求項３または４記載の閉鎖装置。
【請求項６】
蓋の形状が六角形である請求項１から５のいずれか１項に記載の閉鎖装置。
【請求項７】
易壊部が蓋と一体的に製造される請求項１から６のいずれか１項に記載の閉鎖装置。
【請求項８】
蓋が易壊部が蓋から取り外される際に破壊される材料から成る連続薄肉部を有する請求項１から７のいずれか１項に記載の閉鎖装置。
【請求項９】
蓋の易壊部が複合材料を含有する請求項１から８のいずれか１項に記載の閉鎖装置。
【請求項１０】
易壊部がキー形状を有する請求項１から９のいずれか１項に記載の閉鎖装置。
【請求項１１】
開封帯が蓋の易壊部と一体化した請求項１から１０のいずれか１項に記載の閉鎖装置。
【請求項１２】
開封帯が１本または複数の針金を備える請求項１から１１のいずれか１項に記載の閉鎖装置。
【請求項１３】
前記開封帯の１本または複数の針金が、容器に接続する接続パッドに接続されている請求項１２記載の閉鎖装置。
【請求項１４】
開封帯がヒートシール、超音波シールまたは摩擦シールによって容器に接続されている請求項１から１１のいずれか１項に記載の閉鎖装置。
【請求項１５】
接続パッドがヒートシール、超音波シールまたは摩擦シールによって容器に接続されている請求項１３記載の閉鎖装置。
【請求項１６】
容器が潤滑油、特に炭化水素または合成潤滑油等自動車用潤滑油などの液体を収容する請求項１から１５のいずれか１項に記載の容器と関連付けられた閉鎖装置。
【請求項１７】
容器が燃料添加剤、不凍組成物、ブレーキ液等の液体を収容する請求項１から１５のいずれか１項に記載の容器と関連付けられた閉鎖装置。
【手続補正書】
【提出日】平成19年2月14日(2007.2.14)
【手続補正１】
【補正対象書類名】特許請求の範囲
【補正対象項目名】全文
【補正方法】変更
【補正の内容】
【特許請求の範囲】
【請求項１】
複数の型キャビティー（３４，３６）を画定する型要素（１２，１４）；
内部に成形された物品を射出成形するための複数の型キャビティー（３４，３６）に流体接続された第１の組成物インジェクター（３０）；および
複数の型キャビティー（３４，３６）内の成形された物品をインモールドコーティングするために複数の型キャビティー（３４，３６）のそれぞれと流体接続された１つのノズル（６４）を有する第２の組成物インジェクター（３２）を含み、
型要素（１２，１４）および該インジェクター（３０，３２）は型キャビティー（３４，３６）内に射出成形し、成形された物品をインモールドコーティングするように構成され、射出成形およびインモールドコーティングの間、互いに不変の距離を維持する、
成形装置。
【請求項２】
複数の型キャビティー（３４，３６）を画定する型要素（１２，１４）；
複数の型キャビティー（３４，３６）内に成形された物品を射出成形するための手段（３０）；
複数の型キャビティー（３４，３６）内の成形された物品をインモールドコーティングするための手段（３２）；および
射出成形および成形された物品をインモールドコーティングする間、型要素（１２，１４）を互いに固定された距離に保持するための手段（２４）
を含む成形装置。
【手続補正書】
【提出日】平成18年11月30日(2006.11.30)
【手続補正１】
【補正対象書類名】特許請求の範囲
【補正対象項目名】全文
【補正方法】変更
【補正の内容】
【特許請求の範囲】
【請求項１】
微細構造化面を有する工具を進行させるステップと、
上流リップと下流リップとの間にスロットオリフィスを有するスロットダイ装置を使用して流動性樹脂を前記工具上に注型するステップであって、前記樹脂を、あるスロット圧力で前記オリフィスに供給し、前記樹脂を前記リップのある領域と接触させることで、進行する前記工具と前記リップの前記領域との間に前記スロット圧力の半分を超える平均圧力を生じさせるステップと、
前記樹脂を固化させて、微細構造化面を有するシートを形成するステップと、
前記シートを前記工具から取り外すステップと、
を含む、微細構造化物品の製造方法。
【請求項２】
前記微細構造化キューブコーナー要素がキューブコーナー空隙を含む、請求項１に記載の方法。
【請求項３】
前記下流リップが、１つの近接線を有する少なくとも２つの表面部分を含み、前記表面部分が、前記近接線において異なる傾きを含む、請求項１に記載の方法。
【請求項４】
前記スロットダイ装置の前記下流リップが前縁および後縁を含み；前記工具に対して法線方向で、前記下流リップの前記前縁と前記工具との間に第１の間隙が存在し；前記工具に対して法線方向で、前記下流リップの前記後縁と前記工具との間に第２の間隙が存在し；前記第２の間隙が前記第１の間隙に対して独立に調整可能である、請求項１に記載の方法。
【手続補正書】
【提出日】平成19年3月7日(2007.3.7)
【手続補正１】
【補正対象書類名】特許請求の範囲
【補正対象項目名】全文
【補正方法】変更
【補正の内容】
【特許請求の範囲】
【請求項１】
自己免疫疾患を発生させる変更された危険性を有する個体の同定を補助するための方法であって、該方法が、該個体の核酸において、配列番号５５０２、３３７９、４２９２、５４４６、４７５８および４９１４のヌクレオチド配列のいずれか一つに一塩基多型（ＳＮＰ）を検出する工程を包含し、ここで、該ＳＮＰの存在が、自己免疫疾患の変更された危険性と関連する、方法。
【請求項２】
前記変更された危険性が、上昇した危険性である、請求項１に記載の方法。
【請求項３】
前記個体が、現在自己免疫疾患を有する、請求項２に記載の方法。
【請求項４】
前記変更された危険性が、減少した危険性である、請求項１に記載の方法。
【請求項５】
請求項１に記載の方法であって、以下：対立遺伝子特異的プローブハイブリダイゼーション、対立遺伝子特異的プライマー伸長、対立遺伝子特異的増幅、配列決定、５’ヌクレアーゼ消化、分子ビーコンアッセイ、オリゴヌクレオチドライゲーションアッセイ、サイズ分析、および一本鎖立体配座多型からなる群より選択されるプロセスにより検出が実施される、方法。
【請求項６】
前記自己免疫疾患が慢性関節リウマチである、請求項１に記載の方法。
【請求項７】
前記自己免疫疾患が、Ｉ型糖尿病、多発性硬化症、全身性エリテマトーデス、炎症性腸疾患、乾癬、甲状腺炎、セリアック病、悪性貧血、ぜん息、白斑、糸球体腎炎、グレーヴス病、心筋炎、シェーグレン病、および原発性全身性脈管炎からなる群より選択される、請求項１に記載の方法。
【請求項８】
少なくとも８個の連続するヌクレオチドを含む単離された核酸分子であって、該ヌクレオチドの一つが配列番号５５０２、３３７９、４２９２、５４４６、４７５８および４９１４のヌクレオチド配列のいずれか一つまたはこれらの相補体から選択される一塩基多型（ＳＮＰ）である、核酸分子。
【請求項９】
配列番号５５０２、３３７９、４２９２、５４４６、４７５８および４９１４からなる群より選択されるヌクレオチド配列のいずれか一つによりコードされるアミノ酸配列を含む、単離されたポリペプチド。
【請求項１０】
請求項９に記載のポリペプチドまたはそれらの抗原結合フラグメントに特異的に結合する、抗体。
【請求項１１】
前記抗体が、モノクローナル抗体である、請求項１０に記載の抗体。
【請求項１２】
配列番号５５０２、３３７９、４２９２、５４４６、４７５８および４９１４のヌクレオチド配列のいずれか一つまたはこれらの相補体から選択される一塩基多型（ＳＮＰ）を含む、増幅されたポリヌクレオチドであって、１６ヌクレオチド長と１，０００ヌクレオチド長との間の長さである、増幅されたポリヌクレオチド。
【請求項１３】
前記ヌクレオチド配列が、配列番号５５０２、３３７９、４２９２、５４４６、４７５８および４９１４のヌクレオチド配列のいずれか一つを含む、請求項１２に記載の増幅されたポリヌクレオチド。
【請求項１４】
配列番号５５０２、３３７９、４２９２、５４４６、４７５８および４９１４のヌクレオチド配列のいずれか一つに一塩基多型（ＳＮＰ）を含む核酸分子に特異的にハイブリダイズする、単離されたポリヌクレオチド。
【請求項１５】
８〜７０ヌクレオチド長である、請求項１４に記載のポリヌクレオチド。
【請求項１６】
対立遺伝子特異的プローブである、請求項１４に記載のポリヌクレオチド。
【請求項１７】
対立遺伝子特異的プライマーである、請求項１４に記載のポリヌクレオチド。
【請求項１８】
前記ポリヌクレオチドが、表５に示されるプライマー配列セット（配列番号６６０８〜６６７６）からなる群より選択されるヌクレオチド配列を含む、請求項１４に記載のポリヌクレオチド。
【請求項１９】
核酸における一塩基多型（ＳＮＰ）を検出するためのキットであって、請求項１４に記載のポリヌクレオチド、緩衝液および酵素を備える、キット。
【請求項２０】
核酸分子における一塩基多型（ＳＮＰ）を検出するための方法であって、該方法が、ストリンジェントなハイブリダイゼーション条件下で、配列番号５５０２、３３７９、４２９２、５４４６、４７５８および４９１４のヌクレオチド配列のいずれか一つにおけるＳＮＰに特異的にハイブリダイズする試薬と試験サンプルとを接触させる工程、および該試薬の該核酸分子との結合を検出する工程を包含する、方法。
【請求項２１】
請求項２０に記載の方法であって、以下：対立遺伝子特異的プローブハイブリダイゼーション、対立遺伝子特異的プライマー伸長、対立遺伝子特異的増幅、配列決定、５’ヌクレアーゼ消化、分子ビーコンアッセイ、オリゴヌクレオチドライゲーションアッセイ、サイズ分析、および一本鎖立体配座多型からなる群より選択されるプロセスにより検出が実施される、方法。
【請求項２２】
改変ポリペプチドを検出する方法であって、該方法が、試験サンプル中の配列番号５５０２、３３７９、４２９２、５４４６、４７５８および４９１４のヌクレオチド配列のいずれか一つにおける一塩基多型（ＳＮＰ）によりコードされる改変ポリヌクレオチドと、試薬とを接触させる工程、および該試薬の該ポリペプチドとの結合を検出する工程を包含する、方法。
【請求項２３】
慢性関節リウマチを治療的もしくは予防的に処置するのに有用な薬剤を同定するための方法であって、該方法が、候補薬剤に請求項９に記載のポリペプチドを、該ポリペプチドと該候補薬剤との間に結合複合体を形成させるために適切な条件下で接触させる工程、ならびに該結合複合体の形成を検出する工程を包含し、ここで、該複合体の存在が、該薬剤を同定する、方法。
【手続補正書】
【提出日】平成19年2月13日(2007.2.13)
【手続補正１】
【補正対象書類名】特許請求の範囲
【補正対象項目名】全文
【補正方法】変更
【補正の内容】
【特許請求の範囲】
【請求項１】
測定ウェル内に配置された複数の前培養生物学的インジケータの各々に対して１つの蛍光発光測定値を得るステップと、
前記１つの蛍光発光測定値を前記前培養生物学的インジケータが配置された前記各測定ウェルに対する閾蛍光値と比較して前培養生物学的インジケータ内の生物成長を検出するステップとを含み、前記比較が前記各測定ウェルに配置された参照生物学的インジケータに対して得られた基準蛍光測定値を計算に入れる、滅菌サイクルの有効性を判定する方法。
【請求項２】
複数の測定ウェル内に配置された参照生物学的インジケータに対する基準蛍光測定値を得るステップと、
前記測定ウェル内に前培養生物学的インジケータを収容するステップ
とをさらに含む、請求項１に記載の方法。
【請求項３】
所定の閾蛍光値を前記基準蛍光測定値と合計して前記閾蛍光値を生成することにより前記閾蛍光値を生成するステップをさらに含む、請求項２に記載の方法。
【請求項４】
前記基準蛍光測定値を前記各測定ウェルに対する前記１つの蛍光発光測定値から減算するステップと、その結果得られた差を前記各閾蛍光値と比較するステップとをさらに含む、請求項２に記載の方法。
【請求項５】
前記前培養生物学的インジケータ内で生物成長が検出されたかを示す出力を前記比較に基づいて生成するステップをさらに含む、請求項２に記載の方法。
【請求項６】
第２の組の前記前培養生物学的インジケータを前記測定ウェル内に配置するステップと、
前記第２の組の前記前培養生物学的インジケータの各々に対して１つの蛍光発光測定値を得るステップと、
前記第２の組の前記前培養生物学的インジケータの各々に対して得られた前記１つの蛍光発光測定値を前記各測定ウェルに対する前記閾蛍光値と比較して、前記第２の組の前記前培養生物学的インジケータ内の生物成長を検出するステップとをさらに含む、請求項２に記載の方法。
【請求項７】
前記生物学的インジケータがエチレンオキシド滅菌プロセス用又は蒸気による滅菌プロセス用に構成された生物学的インジケータを含む、請求項２に記載の方法。
【手続補正書】
【提出日】平成19年3月23日(2007.3.23)
【手続補正１】
【補正対象書類名】明細書
【補正対象項目名】００３５
【補正方法】変更
【補正の内容】
【００３５】
ＨＴ−２９細胞への付着
ヒト粘膜から単離された合計３２のＬ．  ｐｌａｎｔａｒｕｍ株を、マンノース特異的結合を有するヒト結腸癌腫細胞系ＨＴ−２９の腸上皮細胞への付着について、試験した（Ｗｏｌｄ，  Ａ，  ｅｔ  ａｌ，  Ｉｎｆｅｃｔｉｏｎ  ａｎｄ  Ｉｍｍｕｎｉｔｙ，  Ｏｃｔ．  １９８８，  ｐ．  ２５３１−２５３７により記載された方法）。ヒトの腺癌細胞系ＨＴ−２９の細胞を、１０％の胎児ウシ血清、２ｍＭのＬ−グルタミン及び５０μｇ／ｍｌのゲンタマイシン（Ｓｉｇｍａ  Ｃｈｅｍｉｃａｌ  Ｃｏ．，  Ｓａｉｎｔ  Ｌｏｕｉｓ，  Ｍｏ，  ＵＳＡ）を補充したＥａｇｌｅ’ｓ培地中で培養した。細胞がコンフルエンス（ｃｏｎｆｌｕｅｎｃｅ）に達した数日後、それらをＥＤＴＡ含有緩衝液（０．５４ｍＭ）で引き離し、洗浄し、５×１０６／ｍｌでＨａｎｋ’ｓ平衡塩溶液（ＨＢＳＳ）中に懸濁した。バクテリアを回収し、洗浄し、そして、５×１０９／ｍｌでＨＢＳＳ中に懸濁した（５９７ｎｍにおける１．５の２×光学濃度）。細胞、バクテリア、ＨＢＳＳを比率１：１：３で混合し、４ＥＣにて３０分間、逆さまに回転させながら（ｅｎｄ−ｏｖｅｒ−ｅｎｄ  ｒｏｔａｔｉｏｎ）インキュベートした。氷冷ＰＢＳで細胞を１回洗浄し、中性緩衝ホルマリンで固定化した（Ｈｉｓｔｏｆｉｘ，  Ｈｉｓｔｏｌａｂ，  Ｇｏｔｅｂｒｏｇ，  Ｓｗｅｄｅｎ）。少なくとも４０の細胞の各々に付着したバクテリアの数を、干渉コントラスト顕微鏡（interference contrast microscopy）（５００×倍率、Ｎｉｃｏｎ  Ｏｐｔｏｐｈｏｔ、干渉コントラスト装置（Ｂｅｒｇｓｔｒｏｍ  Ｉｎｓｔｒｕｍｅｎｔｓ，  Ｇｏｔｅｂｏｒｇ，  Ｓｗｅｄｅｎ）を備える）を用いて測定し、１細胞当たりのバクテリアの平均数を計算した。
【手続補正書】
【提出日】平成19年3月30日(2007.3.30)
【手続補正１】
【補正対象書類名】特許請求の範囲
【補正対象項目名】全文
【補正方法】変更
【補正の内容】
【特許請求の範囲】
【請求項１】
セラミック材料から成る未加工品から少なくとも一つの削りくず除去過程において一つの加工ステーションでブリッジ架台、キャップ、インプラントなどのような歯科補綴が製造される、この未加工品を製造する方法において、セラミック材料の完全等静止或いはほぼ等静止プレスによって円筒状、ほぼ円筒状或いは多角形状プレス加工品が形成され、プレス加工品の外周は必要に応じて加工され、そしてそのように仕上げられたプレス加工品からその軸線と直角に異なる厚さの多数の円板状未加工品（３）が切断されることを特徴とする方法。
【請求項２】
未加工品（３）が５０ｍｍより大きい直径を有することを特徴とする請求項１に記載の方法。
【請求項３】
完全等静止プレスの際に少なくとも８０ｍｍ直径の未加工品（３）が製造されることを特徴とする請求項１に記載の方法。
【請求項４】
未加工品（３）が１０ｍｍより大きい厚さを有することを特徴とする請求項１に記載の方法。
【請求項５】
セラミック材料は酸化ジルコンから成ることを特徴とする請求項１に記載の方法。
【請求項６】
歯科補綴は、セラミック材料の絶対或いはほぼ絶対比重が達成されるまで最終焼結されることを特徴とする請求項１に記載の方法。
【請求項７】
セラミック材料としての酸化ジルコンの場合には、歯科補綴の最終焼結処理は少なくとも１５００°Ｃにおいておよそ１６時間中に行われることを特徴とする請求項５或いは６に記載の方法。
【請求項８】
この最終焼結処理では、６．０７５ｇ／ｍｍ3 の絶対比重が達成できることを特徴とする請求項７に記載の方法。
【請求項９】
加工ステーションが切り屑を除去する及び／又はＣＡＤ／ＣＡＭ−案内されたシステムによって構成され、実質的に回転可能な保持装置（４）と少なくとも一つのフライス工具（２）により作動し、この保持工具は未加工品（３）の力一様に装着する手段を有し、未加工品（３）の平行な或いはほぼ平行な加工面は直角に或いはほぼ直角にフライス工具によって加工できることを特徴とする請求項１に記載の方法。
【請求項１０】
未加工品（３）の歯科補綴への加工は焼結されていない状態並びに最終焼結されていない状態にて行なわれることを特徴とする請求項９に記載の方法。
【請求項１１】
未加工品（３）は円筒状形状の場合には周辺方向に集中的ねじ込み部を得ることを特徴とする請求項１或いは９に記載のの方法。
【請求項１２】
未加工品は焼結されていない或いは最終焼結されていないセラミック材料から成り、丸い或いはほぼ丸い円板の形状は５０ｍｍより大きな直径を有することを特徴とするブリッジ架台、キャップ、インプラントなどのような歯科補綴を製造する未加工品。
【請求項１３】
円板の直径が８０ｍｍより大きいことを特徴とする請求項１２に記載の未加工品。
【請求項１４】
円板の厚さは１０ｍｍより大きいことを特徴とする請求項１２或いは１３に記載の未加工品。
【請求項１５】
未加工品は周辺方向にＣＡＤ／ＣＡＭ加工ステーションの保持工具の保持装置（４）内に力の一様な装着する手段（６）を有することを特徴とする請求項１２乃至１４のいずれか一項に記載の未加工品。
【請求項１６】
装着手段（６）の場合には少なくとも一つの集中的ねじ込み部が重要であることを特徴とする請求項１５に記載の未加工品。
【請求項１７】
未加工品は完全等静止或いはほぼ等静止プレスされたセラミック材料から成るはことを特徴とする請求項１２乃至１６のいずれか一項に記載の未加工品。
【請求項１８】
セラミック材料は酸化ジルコンから成ることを特徴とする請求項１２乃至１７のいずれか一項に記載の未加工品。
【手続補正書】
【提出日】平成19年2月16日(2007.2.16)
【手続補正１】
【補正対象書類名】特許請求の範囲
【補正対象項目名】全文
【補正方法】変更
【補正の内容】
【特許請求の範囲】
【請求項１】
積み重ねることが可能な、上面（４）に少なくとも１個のスタッド（３）と、下面（７）に少なくとも１個のリセス（６）とを備え、前記スタッド（３）が、前記リセス（６）に挿入可能である玩具ビルディング・ブロック（１）であって、
前記スタッドの断面（３）が、歯車に似て、前記スタッドが、円周上に配置された、実質的に等間隔に連続した丸い歯先（１２）をもった歯と、その間に点在した同様に丸い溝（１０）とを示し、並びに、
前記リセス（６）の側壁が、前記溝（１０）に相補的に形づくられた少なくとも１個の本質的に垂直に延びるランドを備え、並びに、
前記リセス（６）が、前記リセス内に挿入されたスタッド（３）が、少なくとも３つの接触ゾーンによって導かれ、少なくともそのうちの１つが１つの溝（１０）内に係合可能なランド（６）であるように形づくられることを特徴とする玩具ビルディング・ブロック（１）。
【請求項２】
少なくとも３個のランド（１４）、好ましくは４個、６個、又は８個のランド、最も好ましくは、４個のランドが、前記リセス（６）中に存在することを特徴とする請求項１による玩具ビルディング・ブロック（１）。
【請求項３】
前記ランド（１４）が、スタッド（３）を挿入したときにそれを導くための大多数の、好ましくはすべての接触ゾーンを構成することを特徴とする請求項１又は２の一項による玩具ビルディング・ブロック（１）。
【請求項４】
前記スタッド（３）が少なくとも４の回転対称を示すことを特徴とする請求項１から３までの一項による玩具ビルディング・ブロック（１）。
【請求項５】
前記スタッドの前記回転対称が、６、８又は１２、好ましくは８であることを特徴とする請求項１から４までの一項による玩具ビルディング・ブロック（１）。
【請求項６】
それぞれが１つのスタッド（３）と１つのリセス（６）とを備える立方体の構成単位から本質的に構成されることを特徴とする請求項１から５までの一項による玩具ビルディング・ブロック（１）。
【請求項７】
少なくとも１つのスタッド（３）又は１つのリセス（６）の中央で、貫通孔（１７）がを備えられ、前記孔（１７）が前記ビルディング・ブロック（１）の上部から下部に延び、したがって、ねじ（２１）を前記構成ブロック（１）を貫通することができることを特徴とする請求項１から６までの一項による玩具ビルディング・ブロック（１、３３、３７）。
【請求項８】
貫通孔（１７）が第１のねじ山（１９）を備え、ねじ（２１）を前記構成ブロック（１）を通ってねじ込むことができることを特徴とする請求項７による玩具ビルディング・ブロック（１、３３、３７）。
【請求項９】
前記孔（１７）が前記スタッド（３）内部に、ねじ（２１）の前記ヘッドを受けることを可能にするための拡大部を備えることを特徴とする請求項７または８による玩具ビルディング・ブロック（１、３３、３７）。
【請求項１０】
中空で軽量の製品を得るために、好ましくは高分子物質を本質的な構成要素として含む材料の吹込によって製造されることを特徴とする請求項１から９までの一項による玩具ビルディング・ブロック（１、３３、３７）。
【請求項１１】
パネル（４７）などの構成装置のエッジを保持するためのスロット（４６）、好ましくは垂直に延びるスロットを備えることを特徴とする請求項１から１０までの一項による玩具ビルディング・ブロック（１、３３、３７）。
【請求項１２】
リセス（６）だけをもつ２価のビルディング・ブロック（６７）から構成され、少なくとも１つのスタッド（３）が、その長さほぼ２倍である、スタッド（３）の外部形状をもつ部品（７０、７８）によって実現され、したがって、それが、前記２価のビルディング・ブロックのリセス（６）内に挿入されたときスタッド（３）を構成することを特徴とする請求項１から１１までの一項による玩具ビルディング・ブロック。
【請求項１３】
請求項７から１２までの一項による少なくとも１つ玩具ビルディング・ブロックを含む玩具ビルディング・ブロック・セットであって、ヘッド（２９）と、本体のターミナル・セクションの第３のねじ山（２５）と、前記ねじの前記ヘッド（２９）内の第４のめねじ（２７）であって、前記ねじを他のものの前記ヘッドにねじ込むことができるように前記第３のねじ山に適合する第４のめねじ（２７）とを備える少なくとも１つのねじ（２１、３１、３５；７４）をさらに含むことを特徴とする玩具ビルディング・ブロック・セット。
【請求項１４】
ねじ（２１、３１、３５；７４）が、本体の中央部上の前記第１のねじ山（１９）に適合する第２のねじ山（２３）を備え、前記第３のねじ山が前記第２のねじ山より小さい直径をもつことを特徴とする請求項１３による玩具ビルディング・ブロック・セット。
【請求項１５】
請求項７から１２までの一項による少なくとも１つの玩具ビルディング・ブロック又は請求項１３または１４による玩具ビルディング・ブロックを含む玩具ビルディング・ブロック・セットであって、前記ねじの前記ヘッド（２９）が、リセス（３９）を備え、前記リセスが、円形に似た形状の歯溝（４１）で分けられた規則的に配置された内向きの歯先（４０）からできている断面をもち、したがって、相補的形状の工具（４３）の端部を挿入し、前記ヘッド（２９）内に回転的に固定できることを特徴とする請求項１３または１４による玩具ビルディング・ブロック・セット。
【請求項１６】
前記リセス（３９）の前記断面が、そのヘッド（２９）において、少なくとも４個、好ましくは６個から１２の歯先（４０）をもつことを特徴とする請求項１５による玩具ビルディング・ブロック。
【請求項１７】
少なくとも１つ、好ましくはすべての前記ねじ（２１、３１、３５；７４）が、ヘッド（２９）と、本体の中央部上の第１のねじ山（１９；８４）に適合する第２のねじ山（２３、８２）と、本体のターミナル・セクションの第３のねじ山（２５）であって、前記第２のねじ山より小さい直径をもつ第３のねじ山（２５）と、前記ねじの前記ヘッド（２９）内の第４のめねじ（２７）であって、前記ねじを他のものの前記ヘッドにねじ込むことができるように前記第３のねじ山に適合する第４のめねじ（２７）とを備えることを特徴とする請求項１３から１５までの一項による玩具ビルディング・ブロック・セット。
【請求項１８】
ねじ（２１、３１、３５；７４）用のねじ回し工具（４３）を含み、前記ねじ回し工具は、本質的に、前記ねじ（２１、３１、３５）内の前記リセス（３９）に本質的に相補的な形状をした断面をもつ棒であることを特徴とする請求項１３から１７までの一項による玩具ビルディング・ブロック・セット。
【手続補正書】
【提出日】平成19年2月2日(2007.2.2)
【手続補正１】
【補正対象書類名】特許請求の範囲
【補正対象項目名】全文
【補正方法】変更
【補正の内容】
【特許請求の範囲】
【請求項１】
椎間腔が、近接する椎体の終板（１２、１３）により規定され、さらに、椎体の終板の表面のうち、前額面において実質的に平坦な中央領域（２）に対して側方に延びる表面が、より大きく湾曲した端部領域（４）を有する頚椎の椎間腔のための椎間関節用人工装具であって、
椎体表面上に載置されることが予定された人工装具表面（１０，１１）の少なくとも１つが、上記端部領域（４）まで達する横方向の大きさを有し、
さらに、前額面において、上記人工装具表面（９，１１）の凸状部の曲率が、上記終板（１２，１３）の表面の、対応する曲率以上であることを特徴とする椎間関節用人工装具。
【請求項２】
側方の端部領域（１０，１４，１７）における、頭尾方向の高さが、この部分に対応する椎間腔の高さと略同等であって、中央領域（８）における高さが、この部分に対応する椎間腔の高さより大きいことを特徴とする請求項１記載の椎間関節用人工装具。
【請求項３】
上記人工装具の表面が、上記中央部分（８）においては、凹凸が設けられているが、上記端部領域においては、凹凸が設けられていないことを特徴とする請求項１又は２記載の椎間関節用人工装具。
【請求項４】
上記人工装具表面が、上記中央領域（８）において、鋸歯状に形成されていることを特徴とする請求項１〜３のいずれかに記載の椎間関節用人工装具。
【請求項５】
前額面における、上記人工装具の広がり方向に対する、下部人工装具表面（９）の端部領域（１０）の傾斜角（α）が、２０°以上であることを特徴とする請求項１又は２記載の椎間関節用人工装具。
【請求項６】
上記人工装具の広がり方向に対する、上部人工装具表面（１１）の端部領域（１０）の傾斜角（β）が、少なくとも０°、好ましくは１０〜３０°であることを特徴とする請求項１〜５のいずれかに記載の椎間関節用人工装具。
【請求項７】
上記人工装具の幅長（１５）が、上記人工装具が上記椎間腔に存在する際の前後方向長さ（１６）の少なくとも１．５倍であることを特徴とする請求項１〜６のいずれかに記載の椎間関節用人工装具。
【請求項８】
上記人工装具の特定の形状が、その背側領域に限定されていることを特徴とする請求項１〜６のいずれかに記載の椎間関節用人工装具。
【請求項９】
椎間腔のための椎間関節用人工装具であって、上記椎間腔において、前額断に関して、その中央部分、即ち鉱化が殆どされない領域（２）における終板表面（１７）が、椎間腔の中間面（２０）から第１の距離（１８）の所にあり、
側方部分、即ちより強固に鉱化された端部領域（４）においては、椎間腔の上記中間面（２０）から第２の距離（１９）の所にあり、
そして、同様の前額断において、上記人工装具は、中央表面領域（８）を有し、さらに上記終板表面（１７）の中央領域（２）上に載置されることが予定された上記中央表面領域（８）が、その対応する中間平面（２０’）から第３の距離（２１）の所にあり、
上記終板表面（１７）の横方向端部領域（４）上に載置されることが予定された端部領域（１０）において、上記端部領域（１０）は、上記対応する中央平面（２０’）から第４の距離（２２）の所にあり、
上記第３の距離（２１）は、上記第４の距離（２２）より大きく、それらの差（２３）は、上記第１距離（１８）と上記第２距離（１９）との差（２４）以上であることを特徴とする請求項１〜８のいずれかに記載の椎間関節用人工装具。
【請求項１０】
カバープレートが、上記椎間腔の生まれながら備える表面を実質的に利用することができる大きさに決定され、当該カバープレートの少なくとも１つの表面が、上記カバープレートの広がり方向の主面と略平行に延びる中央領域を有し、且つ背側部分において、当該中央領域が、上記中央領域と比較して隆起した遷移表面と隣接することを特徴とする請求項１〜９のいずれかに記載の椎間関節用人工装具。
【請求項１１】
請求項１〜１０のいずれかに記載の人工装具を挿入するための装置セットであって、
上記装置セットは、少なくとも１つのヤスリ（５４）を備え、上記ヤスリ（５４）は、人工装具の形状を反映しており、上記椎体の表面を上記人工装具の形状と適合させることができ、
上記人工装具は、中央領域と端部領域とを備え、端部領域の少なくとも背面部分にて物質が実質的に取り除かれないように、上記人工装具が設計されていることを特徴とする装置セット。
【手続補正書】
【提出日】平成19年3月23日(2007.3.23)
【手続補正１】
【補正対象書類名】特許請求の範囲
【補正対象項目名】全文
【補正方法】変更
【補正の内容】
【特許請求の範囲】
【請求項１】
装飾用の花の構成部分を含有する食用糖類溶液の調製のための処理であって、以下のステップ：
ａ．ヒトの食用を意図される材料の生産に適した栽培技術で栽培された生の花の構成部分を収穫すること、
ｂ．該花の構成部分を粉砕化し、食用糖類溶液へそれを導入すること
ｃ．１０〜２０分の範囲の間、約７０℃〜約９０℃の範囲の温度で、該溶液を加熱することによって該溶液を低温殺菌して、そして、約１０℃〜約０℃の範囲の温度に急速に該溶液を冷却すること、
からなる処理。
【請求項２】
ステップａ．で収穫される花の構成部分が有機農業技術で栽培される、請求項１に記載の処理。
【請求項３】
ステップａ．で収穫される花の構成部分が園芸分野で有益な技術で栽培される、請求項１に記載の処理。
【請求項４】
前記花の構成部分が、最初の花弁が完全に広がって開き、かつすべての花の開きが始まったときに収穫する、請求項１〜３のいずれかに記載の処理。
【請求項５】
前記花の構成部分が、花が全てに開いた時期に収穫して、ステップｂ．に進む前に最初に開いた花弁を捨て去る、請求項１〜３のいずれか１項に記載の処理。
【請求項６】
前記花の構成部分が晩春または初秋に収穫される請求項１〜５のいずれか１項に記載の処理。
【請求項７】
前記花の構成部分が、先端、花弁、花全体又は花の部分を含む、請求項１〜６のいずれか１項に記載の処理。
【請求項８】
ステップｂ．において、１以上の香り、天然物および／または非天然物が前記糖類溶液中へ加えられる請求項１〜７のいずれか１項に記載の処理。
【請求項９】
約１５分間約８０℃で加熱して低温殺菌が行われ、約４℃の温度に冷却する請求項１〜８のいずれか１項に記載の処理。
【請求項１０】
ステップｃ．の後に、（更なる材料を用いる場合は）前記溶液を処理して、菓子製品を得るステップｄ．を含む、請求項１〜９のいずれか１項に記載の処理。
【請求項１１】
前記材料が、食品保存料および任意に一以上の香り、天然物および／または非天然物を含む請求項１０の処理。
【請求項１２】
請求項１〜９の処理によって得られる花の構成部分を含有する食用糖類溶液。
【請求項１３】
任意に、一以上の香り、天然物および／または非天然物、食品成分および賦形剤を伴う、花の構成部分を含有する菓子製品の製造のための請求項１２に記載の糖類溶液の使用。
【請求項１４】
花の構成部分を含有する菓子製品が、ゼリー、キャンディ又はタフィー、棒つきキャンディ、ジャム、マーマレード、チョコレート、ビスケット、ウエハース、スナック類、甘味類、ケーキ用飴粒子、アイスクリーム、氷菓子、ソルベ、プディング、クリーム、綿菓子、甘草、チューイングガム、飲料用シロップ、飲料、ヨーグルト、乳製品、生又は乾燥チーズである、請求項１３に記載の使用。
【請求項１５】
請求項１０又は１１に記載の処理から得られる菓子製品。
【請求項１６】
ゼリー、キャンディ又はタフィー、棒つきキャンディ、ジャム、マーマレード、チョコレート、ビスケット、ウエハース、スナック類、甘味類、ケーキ用飴粒子、アイスクリーム、氷菓子、ソルベ、プディング、クリーム、綿菓子、甘草、チューイングガム、飲料用シロップ、飲料、ヨーグルト、乳製品、生又は乾燥チーズのような、請求項１５に記載の製品。
【請求項１７】
任意に、一以上の香り、天然物および／または非天然物、食品成分および賦形剤を伴う、請求項１２に記載の食用糖類溶液を含む、花の構成部分を含有する菓子製品。
【請求項１８】
ゼリー、キャンディ又はタフィー、棒つきキャンディ、ジャム、マーマレード、チョコレート、ビスケット、ウエハース、スナック類、甘味類、ケーキ用飴粒子、アイスクリーム、氷菓子、ソルベ、プディング、クリーム、綿菓子、甘草、チューイングガム、飲料用シロップ、飲料、ヨーグルト、乳製品、生又は乾燥チーズのような、請求項１７に記載の製品。
【手続補正書】
【提出日】平成19年3月22日(2007.3.22)
【手続補正１】
【補正対象書類名】特許請求の範囲
【補正対象項目名】全文
【補正方法】変更
【補正の内容】
【特許請求の範囲】
【請求項１】
織物層及び裏地層を有するダストコントロールマットであって、前記織物層は、マットの上面を形成する第１の布地層と、織物層の下面を形成する第２の布地層と、前記第１及び第２の布地層を連結し、間隔をあける中間パイル層とを有するスペーサー布地を備えるダストコントロールマット。
【請求項２】
前記第１の布地層は、複数の開口を有するメッシュを含む請求項１に記載のダストコントロールマット。
【請求項３】
前記第２の布地層は、実質的に閉構造を有する請求項１又は２に記載のダストコントロールマット。
【請求項４】
前記中間パイル層は、２−１０ｍｍ、好ましくは約４−６ｍｍの厚さを有する請求項１〜３のいずれかに記載のダストコントロールマット。
【請求項５】
前記織物層は、経糸ニット布地、好ましくはラッシェルニット布地である請求項１〜４のいずれかに記載のダストコントロールマット。
【請求項６】
前記裏地層は、第２の布地層に接合されている請求項１〜５のいずれかに記載のダストコントロールマット。
【請求項７】
前記裏地層は、ゴム、好ましくはニトリルゴムからなる請求項１〜６のいずれかに記載のダストコントロールマット。
【請求項８】
前記織物層は、印刷されている請求項１〜７のいずれかに記載のダストコントロールマット。
【請求項９】
第１の布地層と、第２の布地層と、前記第１及び第２の布地層を連結し、間隔をあける中間パイル層とを有するスペーサー布地を備える織物層に裏地層を接合する工程を具備するダストコントロールマットの製造方法。
【請求項１０】
前記スペーサー布地は、ニット布地、好ましくは経糸ニット布地、より好ましくはラッシェルニット布地である請求項９に記載の方法。
【請求項１１】
前記第１の布地層は、複数の開口を有するメッシュを含む請求項９又は１０に記載のダストコントロールマット。
【請求項１２】
前記第２の布地層は、実質的に閉構造を有する請求項１１に記載のダストコントロールマット。
【請求項１３】
マットの上面を形成する第１の布地層と、織物層の下面を形成する第２の布地層と、前記第１及び第２の布地層を連結し、間隔をあける中間パイル層とを有するスペーサー布地を備える織物層を有するダストコントロールマット。
【手続補正書】
【提出日】平成19年3月26日(2007.3.26)
【手続補正１】
【補正対象書類名】特許請求の範囲
【補正対象項目名】全文
【補正方法】変更
【補正の内容】
【特許請求の範囲】
【請求項１】
核酸配列を含むポリメラーゼ阻害剤であって、該核酸配列の少なくとも一部は、該核酸配列の融点またはそれ未満において二本鎖であり、該核酸配列が該ポリメラーゼによって実質的に伸長され得ないことを除いて、該核酸配列の該二本鎖部分が、伸長のためのテンプレートとしてポリメラーゼによって認識されるに十分な長さである、ポリメラーゼ阻害剤。
【請求項２】
核酸ポリメラーゼまたは該核酸ポリメラーゼに関連したポリメラーゼファミリーに特異的でない、請求項１に記載のポリメラーゼ阻害剤。
【請求項３】
請求項１に記載のポリメラーゼ阻害剤であって、該ポリメラーゼ阻害剤の阻害活性が配列特異的ではない、ポリメラーゼ阻害剤。
【請求項４】
請求項１に記載のポリメラーゼ阻害剤であって、該ポリメラーゼの核酸配列が、目的の標的核酸に対するプライマーとして作用しない、ポリメラーゼ阻害剤。
【請求項５】
請求項１に記載のポリメラーゼ阻害剤であって、該ポリメラーゼの核酸配列が、目的の標的核酸配列を含む核酸の一部を形成しない、ポリメラーゼ阻害剤。
【請求項６】
本質的に核酸配列から構成される、請求項１に記載のポリメラーゼ阻害剤。
【請求項７】
上記核酸配列の少なくとも５’末端の核酸が、該核酸配列の融点またはそれ未満において一本鎖である、請求項１に記載のポリメラーゼ阻害剤。
【請求項８】
上記核酸配列の３’末端の核酸が、上記ポリメラーゼによる該３’末端の核酸の伸長を防止するブロック部分を含む、請求項１に記載のポリメラーゼ阻害剤。
【請求項９】
上記核酸が二本鎖である場合に、該核酸の３’末端の核酸の少なくとも１つが、該核酸の５’末端の核酸の少なくとも１つと対をなさない、請求項１に記載のポリメラーゼ阻害剤。
【請求項１０】
上記核酸の融点またはそれ未満において二本鎖である核酸の一部が、それ自身にアニーリングし得る単一の核酸配列によって形成されている、請求項１に記載のポリメラーゼ阻害剤。
【請求項１１】
上記核酸の融点またはそれ未満において二本鎖である核酸の一部が、少なくとも部分的に互いにアニーリングする２つの別々の核酸配列によって形成される、請求項１に記載のポリメラーゼ阻害剤。
【請求項１２】
上記核酸配列の少なくとも３’末端の核酸が、該核酸配列の融点またはそれ未満において一本鎖である、請求項１に記載のポリメラーゼ阻害剤。
【請求項１３】
請求項１に記載のポリメラーゼ阻害剤であって、該ポリメラーゼ阻害剤の核酸部分がＤＮＡまたはＤＮＡ模倣物を含む、ポリメラーゼ阻害剤。
【請求項１４】
上記核酸がＲＮＡまたはＲＮＡ模倣物を含む、請求項１に記載のポリメラーゼ阻害剤。
【請求項１５】
請求項１に記載のポリメラーゼ阻害剤であって、該ポリメラーゼ阻害剤の核酸部分がエクソヌクレアーゼ活性に耐性である、ポリメラーゼ阻害剤。
【請求項１６】
請求項１に記載のポリメラーゼ阻害剤であって、該ポリメラーゼ阻害剤の核酸の二本鎖部分の融点が約２５℃〜８０℃の範囲にある、ポリメラーゼ阻害剤。
【請求項１７】
請求項１に記載のポリメラーゼ阻害剤であって、該ポリメラーゼ阻害剤の核酸部分の二本鎖部分が少なくとも１０塩基長である、ポリメラーゼ阻害剤。
【請求項１８】
請求項１〜１７のいずれか一項に記載のポリメラーゼ阻害剤の存在下にて核酸増幅反応を行う工程を含む、核酸ポリメラーゼを阻害する方法。
【請求項１９】
請求項１〜１７のいずれか一項に記載のポリメラーゼ阻害剤を含む、核酸ポリメラーゼを阻害するためのキット。
【手続補正書】
【提出日】平成19年4月6日(2007.4.6)
【手続補正１】
【補正対象書類名】特許請求の範囲
【補正対象項目名】請求項１３
【補正方法】変更
【補正の内容】
【請求項１３】
前記文書セットからの少なくとも１枚の挿入シートを分離、保持して折り畳んだ挿入シートセットを形成するステップ；および
少なくとも１枚の挿入シートを封筒シートで包装して、シールすることによって封筒を形成するステップを含む、請求項１〜１２のいずれかに記載の、大量郵送アイテム作成方法。
【手続補正書】
【提出日】平成19年3月8日(2007.3.8)
【手続補正１】
【補正対象書類名】特許請求の範囲
【補正対象項目名】全文
【補正方法】変更
【補正の内容】
【特許請求の範囲】
【請求項１】
入口を有するスプレーガンと、噴霧すべき液体の貯蔵器と、該貯蔵器の出口を該スプレーガンの該入口に接続することにより使用時に該液体が該貯蔵器から引き出されるのを可能にするコネクタ手段と、を具備し、該コネクタ手段は、該貯蔵器の出口を該スプレーガンの入口から脱着するように解放可能であり、かつ該貯蔵器が該スプレーガンに取り付けられている間に該貯蔵器と該スプレーガンとの接続を維持しつつ該貯蔵器の出口が該スプレーガンの入口に対して回転することを可能にする、液体噴霧装置。
【請求項２】
前記コネクタ手段は、前記貯蔵器の出口が前記スプレーガンの入口と連通している状態で、該貯蔵器の出口が該スプレーガンの入口に対し少なくとも９０°回転することを可能にする、請求項１に記載の液体噴霧装置。
【手続補正２】
【補正対象書類名】明細書
【補正対象項目名】００４１
【補正方法】変更
【補正の内容】
【００４１】
使用時、ガン１は、ハンドル４の下端においてコネクタ７を介して圧縮空気源（図示せず）に接続され、貯蔵器２は、噴霧される塗料または他の液体を収容している。ユーザが引金６を引くと圧縮空気がガン１を通してノズル５まで供給され、塗料が、重力下で貯蔵器２からガン１を通ってノズル５まで供給される。その結果、塗料は、ノズル５を離れるときに霧化され、ノズル５から出る圧縮空気とともに噴霧を形成する。